(57)【要約】  【課題】ディジタルテレビジョン放送にのみ対応する映像装置で、ディジタルテレビジョン放送およびアナログテレビジョン放送を視聴可能にする。  【解決手段】チューナモジュールは、ディジタルテレビジョン放送の電波を受信してディジタルチューナ部に供給すると共に、アナログテレビジョン放送の電波を受信してアナログチューナ部に供給する。ディジタルチューナ部は、ディジタルテレビジョン放送の電波から所定の信号を選択し、信号処理を施して得られるＴＳを多重化部に供給する。一方、アナログチューナ部は、アナログテレビジョン放送の電波から所定の信号を選択し、信号処理を施して得られる映像信号と音声信号とをディジタル変換部に供給する。ディジタル変換部は、映像信号と音声信号とを圧縮符号化し、多重化してＴＳに変換し、多重化部に供給する。多重化部は、供給された２つのＴＳを多重化して映像装置に供給する。【選択図】図１
2007235650.tif 000002
【特許請求の範囲】
【請求項１】
ディジタルテレビジョン放送の電波から所定の周波数のディジタル変調信号を選択し、上記ディジタル変調信号を復調して第１のディジタル信号を出力するディジタルチューナ部と、
アナログ映像信号およびアナログ音声信号に対してそれぞれ所定の圧縮符号化処理を施して映像データおよび音声データを生成し、上記映像データおよび音声データを多重化して第２のディジタル信号を出力するディジタル変換部と、
上記第１のディジタル信号と上記第２のディジタル信号とを多重化して第３のディジタル信号を出力する多重化部と、
上記多重化部から出力される上記第３のディジタル信号の授受を外部の機器との間で行うインターフェースと
を有することを特徴とするチューナモジュール。
【請求項２】
請求項１に記載のチューナモジュールにおいて、
上記ディジタル変換部は、
上記映像データおよび音声データの多重化の際に、上記映像データおよび音声データをそれぞれ複数のパケットに分割し、該パケットに対してパケット情報を示すヘッダをそれぞれ付加する
ことを特徴とするチューナモジュール。
【請求項３】
請求項２に記載のチューナモジュールにおいて、
上記第１のディジタル信号は、映像データと音声データと付加データとのそれぞれからなるパケットにより構成され、上記パケットに対してパケット情報を示すヘッダがそれぞれ付加されており、
上記多重化部は、上記第１のディジタル信号を構成するパケットに対するパケット情報と、上記第２のディジタル信号を構成するパケットに対するパケット情報とに基づき、上記第１および第２のディジタル信号を構成するパケットに対するパケット情報が重複しないように、上記第１および第２のディジタル信号を構成するパケットに対するパケット情報の一方を変更する
ことを特徴とするチューナモジュール。
【請求項４】
請求項１に記載のチューナモジュールにおいて、
アナログテレビジョン放送の電波から所定の周波数のアナログ変調信号を選択し、上記アナログ変調信号を検波してアナログ映像信号およびアナログ音声信号を出力するアナログチューナ部と、
アナログ映像信号およびアナログ音声信号を出力するアナログ信号入力部と
を有し、
上記アナログチューナ部の出力信号と上記アナログ信号入力部の出力信号との一方が選択的に上記ディジタル変換部に入力される
ことを特徴とするチューナモジュール。
【請求項５】
ディジタルテレビジョン放送の電波から所定の周波数のディジタル変調信号を選択し、上記ディジタル変調信号を復調して第１のディジタル信号を出力するディジタルチューナ部と、
アナログ映像信号およびアナログ音声信号に対してそれぞれ所定の圧縮符号化処理を施して映像データおよび音声データを生成し、上記映像データおよび音声データを多重化して第２のディジタル信号を出力するディジタル変換部と、
上記第１のディジタル信号と上記第２のディジタル信号とを多重化して第３のディジタル信号を出力する多重化部と、
上記第３のディジタル信号を上記第１のディジタル信号と上記第２のディジタル信号とに分離する分離部と、
上記第１のディジタル信号と上記第２のディジタル信号とのうち、何れか一方のディジタル信号が供給され、該ディジタル信号を映像データと音声データとに分離し、それぞれのデータを復号するデコーダと、
上記第１のディジタル信号と上記第２のディジタル信号とのうち、何れか一方のディジタル信号が供給され、該ディジタル信号を記録媒体に記録し、記録媒体に記録されたディジタル信号を再生する記録再生部と
を有することを特徴とする放送受信装置。
【請求項６】
請求項５に記載の放送受信装置において、
上記多重化部と上記分離部との間で上記第３のディジタル信号の授受を行うインターフェースをさらに有することを特徴とする放送受信装置。
【請求項７】
請求項５に記載の放送受信装置において、
上記多重化部から出力される上記第３のディジタル信号を暗号化する暗号化部と、
上記分離部および上記記録再生部の一方から出力されるディジタル信号を復号する復号部と
をさらに有することを特徴とする放送受信装置。
【請求項８】
請求項５に記載の放送受信装置において、
アナログテレビジョン放送の電波から所定の周波数のアナログ変調信号を選択し、上記アナログ変調信号を検波してアナログ映像信号およびアナログ音声信号を出力するアナログチューナ部と、
アナログ映像信号とアナログ音声信号とを出力するアナログ信号入力部と
を有し、
上記アナログチューナ部の出力信号と上記アナログ信号入力部の出力信号との一方が選択的に上記ディジタル変換部に入力される
ことを特徴とする放送受信装置。
【発明の詳細な説明】
【技術分野】
【０００１】
この発明は、ディジタルテレビジョン放送およびアナログテレビジョン放送が受信可能なチューナモジュールおよび放送受信装置に関する。
【背景技術】
【０００２】
近年、地上ディジタルテレビジョン放送の提供が開始され、今後はディジタルテレビジョン放送が主流となるため、ディジタルテレビジョン放送対応のテレビジョン受像機やチューナが急速に普及すると考えられる。また、ディジタルテレビジョン放送の普及に伴い、アナログテレビジョン放送は、停波する方向に向かっている。
【０００３】
しかしながら、例えば、地上ディジタルテレビジョン放送は、現在のところ全国展開されておらず、一部の地域でしか視聴することができない。そのため、現状では、アナログテレビジョン放送が主流であり、今後もアナログテレビジョン放送を受信するための機能が必要であると考えられる。
【０００４】
また、すでに普及しているＶＴＲ（Video Tape Recorder）やＤＶＤ（Digital Versatile Disc）などの機器は、アナログテレビジョン放送が停波した後もしばらくの間利用されることが予想される。これらの機器の出力は、ＮＴＳＣ（National Television System Committee）方式などのアナログテレビジョン放送の規格に基づく信号で出力されるようになっている。そのため、テレビジョン受像機やチューナには、アナログ放送停波後もアナログ信号を再生するための機能が必要であると考えられる。
【０００５】
現時点において、ディジタルテレビジョン放送対応のテレビジョン受像機やＰＣ（Personal Computer）、ＰＤＡ（Personal Digital Assistant）などには、ディジタルテレビジョン放送およびアナログテレビジョン放送の両放送が視聴可能なように、ディジタルテレビジョン放送用の処理回路とアナログテレビジョン放送用の処理回路とが搭載されたものが多い。
【０００６】
このように、アナログテレビジョン放送およびディジタルテレビジョン放送に対応したテレビジョン受像機に関する技術が特許文献１に記載されている。
【０００７】
【特許文献１】特開平１１−９８４２６号公報
【０００８】
従来のディジタルテレビジョン放送およびアナログテレビジョン放送が受信可能なチューナモジュールおよび映像装置について、概略的に説明する。ここでは、ディジタルテレビジョン放送用チューナとアナログテレビジョン放送用チューナとを搭載したチューナモジュールを、それぞれの放送に対応したデコーダを搭載した映像装置に接続した場合を例にとって説明する。
【０００９】
図１３は、従来のチューナモジュール４０１および映像装置４０２の一例の構成を示す。チューナモジュール４０１のディジタル通信インターフェース（Ｉ／Ｆ）４１９と映像装置４０２のディジタル通信インターフェース４３２とを接続すると共に、チューナモジュール４０１のアナログ通信インターフェース４２０と映像装置４０２のアナログ通信インターフェース４４０とを接続する。
【００１０】
チューナモジュール４０１は、外部のアンテナ４０３が接続され、放送設備４０４から送信されたディジタルテレビジョン放送および／またはアナログテレビジョン放送の電波を受信する。受信したディジタルテレビジョン放送の電波がディジタルチューナ部４１１に供給されると共に、アナログテレビジョン放送の電波がアナログチューナ部４１２に供給される。
【００１１】
放送設備４０４では、例えば、地上ディジタルテレビジョン放送の場合、ＭＰＥＧ−２（Moving Picture Experts Group-2）方式により、映像、音声およびデータの圧縮符号化を行う。そして、ＭＰＥＧ−２システムズ（MPEG-2 Systems）の規定に従い、映像データ、音声データおよびこれらに付加される付加データをチャンネル毎およびデータ種類毎にパケット化し、時分割で多重化してトランスポートストリーム（ＴＳ：Transport Stream）と呼ばれるパケット列を生成する。
【００１２】
生成されたトランスポートストリーム（以下、ＴＳと適宜称する）は、特定のユーザのみが視聴できるようにするためのスクランブル処理が施される。そして、スクランブル処理されたＴＳに対して、変調処理が施されて送信される。変調方式は、例えば、地上ディジタルテレビジョン放送の場合、衛星ディジタルテレビジョン放送と異なり、山やビルなどによる反射波を考慮する必要があるため、マルチパスによる妨害に強いＯＦＤＭ（Orthogonal Frequency Division Multiplex）変調方式が用いられる。
【００１３】
また、放送設備４０４は、例えば、地上アナログテレビジョン放送の場合、映像信号をＡＭ（Amplitude Modulation）変調して送信すると共に、音声信号をＦＭ（Frequency Modulation）変調して送信する。
【００１４】
ここで、ＴＳについて、図１４を参照して概略的に説明する。図１４は、ＴＳの構造を示す。ＴＳは、図１４Ａに示すように、ＴＳパケットで構成されている。ＴＳパケットは、１８８バイトの固定長のパケットであり、図１４Ｂに示すように、ＴＳヘッダとペイロードおよび／またはアダプテーションフィールドで構成されている。ＴＳパケットのＴＳヘッダは、図１４Ｃに示すように、ＴＳパケットの先頭を検出するための同期バイト、パケットの中のビットエラーの有無を示す誤り表示、新たなＰＥＳ（Packetized Elementary Stream）パケットの開始を示すユニット開始表示、パケットの重要度を示す優先度、パケットの属性を示すＰＩＤ（Packet IDentification）等で構成される。アダプテーションフィールドは、ペイロードのデータに関する情報を示すことができるものである。
【００１５】
ＰＩＤは、１３ビットの値によりパケットの属性を示し、ペイロードに格納されるデータの種類により値が異なる。このＰＩＤは、必要とするＴＳパケットをフィルタリングする際に用いられる。
【００１６】
また、ＴＳパケットのペイロードには、複数のチャンネルの映像や音声のストリームをパケット化したものを格納することができる。また、映像や音声のストリームの他に、セクション形式のデータも格納することができる。セクション形式のデータは、例えば、チャンネルや番組に関する情報で構成されており、具体的には、例えば、後述するＰＭＴ（Program Map Table）やＰＡＴ（Program Association Table）がある。
【００１７】
ＰＭＴは、各チャンネルにおける映像、音声およびデータのストリームを伝送するＴＳパケットを特定するためのテーブルである。ＰＭＴは、チャンネル毎に存在し、そのチャンネルを構成する各ストリームのＰＩＤやストリームのタイプなどの指定する。ＰＭＴ自体のＰＩＤは、後述するＰＡＴによって指定されている。
【００１８】
ＰＡＴは、各チャンネルのＰＭＴを伝送しているＴＳパケットを特定するためのテーブルである。ＰＡＴは、ＴＳに１つ存在し、そのＴＳに存在するサービスＩＤとそのサービスのＰＭＴのＰＩＤなどが記述されている。
【００１９】
図１３に戻って説明すると、ディジタルチューナ部４１１は、供給されたディジタルテレビジョン放送の電波から所定の周波数の信号を選択し、復調や誤り訂正などの所定の信号処理を施してＴＳを出力する。ディジタルチューナ部４１１から出力されたＴＳは、ディジタル通信インターフェース４１９に供給され、ディジタル通信インターフェース４１９に接続された映像装置４０２のディジタル通信インターフェース４３２を介して映像装置４０２に供給される。
【００２０】
一方、アナログチューナ部４１２は、供給されたアナログテレビジョン放送の電波から所定の周波数の信号を選択し、選択されたアナログ信号に対して映像中間周波増幅やＡＭ検波などの所定の信号処理を施し、映像信号を取り出すと共に、音声中間周波増幅やＦＭ検波などの所定の信号処理を施して音声信号を取り出す。映像信号および音声信号は、アナログ通信インターフェース４２０に供給され、アナログ通信インターフェース４２０に接続された映像装置４０２のアナログ通信インターフェース４４０を介して映像装置４０２に供給される。
【００２１】
ディジタル通信インターフェース４３２を介して映像装置４０２に供給されたＴＳは、デスクランブラ４２１に供給される。デスクランブラ４２１は、スクランブルを解除するための処理を施し、ＤｅＭＵＸ（De-MUltipleXer）部４２２へ供給する。ＤｅＭＵＸ部４２２は、ＴＳパケットのヘッダ部に格納されたＰＩＤの値に基づきフィルタリングを行い、多重されたＴＳから必要なストリームを取り出し、ディジタルデコーダ４２４に供給する。
【００２２】
ディジタルデコーダ４２４は、ＤｅＭＵＸ部４２２から供給されたストリームに含まれる映像データ、音声データおよび付加データに対して、それぞれのデータに応じた復号処理を施し、映像信号、音声信号および付加データを出力する。復号された映像信号および付加データは、表示部４２６に供給される。付加データは、表示部４２６に供給され、例えば、ＯＳＤ（On Screen Display）処理により、映像信号に重ね合わせて表示することができる。また、音声信号は、音声出力部４２７に供給される。
【００２３】
一方、アナログ通信インターフェース４４０を介して映像装置４０２に供給された映像信号および音声信号は、アナログデコーダ４５０に供給される。アナログデコーダ４５０は、供給された映像信号に対して色復調などの信号処理を施し、輝度信号および色差信号を取り出す。そして、得られた輝度信号および色差信号が表示部４２６に供給されると共に、音声信号が音声出力部４２７に供給される。
【００２４】
表示部４２６は、ディジタルデコーダ４２４およびアナログデコーダ４５０から供給された映像信号をユーザの要求に応じて切り替えて表示する。音声出力部４２７は、アナログデコーダ４５０およびディジタルデコーダ４２４から供給された音声信号をユーザの要求に応じて切り替えて出力する。
【００２５】
操作部４３１は、例えばキーボードからなり、ユーザがチャンネルを選択するなどの操作に応じた選局情報が出力される。操作部４３１から出力された選局情報は、ＣＰＵ（Central Processing Unit）４２８に供給される。
【００２６】
ＣＰＵ４２８は、ＲＯＭ（Read Only Memory）４２９に予め格納されたプログラムに従い、映像装置４０２の各部を制御すると共に、ディジタル通信インターフェース４３２を介してチューナモジュール４０１の各部を制御する。また、ＣＰＵ４２８は、ＲＡＭ（Random Access Memory）４３０を有し、プログラム実行時のワークメモリとして用いる。例えば、ＣＰＵ４２８は、操作部４３１から供給された選局情報に基づき、所定の周波数の信号を選択するようディジタルチューナ部４１１およびアナログチューナ部４１２を制御する。
【００２７】
このように、従来のディジタルテレビジョン放送およびアナログテレビジョン放送が受信可能なチューナモジュールおよび映像装置において、ディジタルテレビジョン放送の信号とアナログテレビジョン放送の信号とがそれぞれ独立した経路で処理されることにより、ディジタルテレビジョン放送およびアナログテレビジョン放送を視聴することができる。
【発明の開示】
【発明が解決しようとする課題】
【００２８】
しかしながら、上述したように、アナログテレビジョン放送用チューナから出力される映像信号および音声信号は、ディジタル通信インターフェースを用いて伝送することができない。そのため、このようなアナログ信号を映像装置に供給するには、アナログ通信インターフェースが必要となる。すなわち、ディジタルテレビジョン放送およびアナログテレビジョン放送の両放送を視聴可能にするためには、ディジタル通信インターフェースとアナログ通信インターフェースとが必要となり、接続が煩わしいという問題点があった。
【００２９】
また、ディジタルテレビジョン放送およびアナログテレビジョン放送の両放送を視聴する場合、映像装置には、ディジタルテレビジョン放送用デコーダおよびアナログテレビジョン放送用デコーダとを搭載する必要がある。しかしながら、将来的に不要となるアナログテレビジョン放送用デコーダを設けた場合、コストがかかってしまったり、映像装置の小型化に影響を与えてしまうという問題点があった。
【００３０】
したがって、この発明の目的は、ディジタルテレビジョン放送のみに対応する映像装置で、ディジタルテレビジョン放送およびアナログテレビジョン放送を同時に視聴および／または録画することができるチューナモジュールおよび放送受信装置を提供することにある。
【課題を解決するための手段】
【００３１】
上述した課題を解決するために、第１の発明は、ディジタルテレビジョン放送の電波から所定の周波数のディジタル変調信号を選択し、ディジタル変調信号を復調して第１のディジタル信号を出力するディジタルチューナ部と、アナログ映像信号およびアナログ音声信号に対してそれぞれ所定の圧縮符号化処理を施して映像データおよび音声データを生成し、映像データおよび音声データを多重化して第２のディジタル信号を出力するディジタル変換部と、第１のディジタル信号と第２のディジタル信号とを多重化して第３のディジタル信号を出力する多重化部と、多重化部から出力される第３のディジタル信号の授受を外部の機器との間で行うインターフェースとを有することを特徴とするチューナモジュールである。
【００３２】
また、第２の発明は、ディジタルテレビジョン放送の電波から所定の周波数のディジタル変調信号を選択し、ディジタル変調信号を復調して第１のディジタル信号を出力するディジタルチューナ部と、アナログ映像信号およびアナログ音声信号に対してそれぞれ所定の圧縮符号化処理を施して映像データおよび音声データを生成し、映像データおよび音声データを多重化して第２のディジタル信号を出力するディジタル変換部と、第１のディジタル信号と第２のディジタル信号とを多重化して第３のディジタル信号を出力する多重化部と、第３のディジタル信号を第１のディジタル信号と第２のディジタル信号とに分離する分離部と、第１のディジタル信号と第２のディジタル信号とのうち、何れか一方のディジタル信号が供給され、ディジタル信号を映像データと音声データとに分離し、それぞれのデータを復号するデコーダと、第１のディジタル信号と第２のディジタル信号とのうち、何れか一方のディジタル信号が供給され、ディジタル信号を記録媒体に記録し、記録媒体に記録されたディジタル信号を再生する記録再生部とを有することを特徴とする放送受信装置である。
【００３３】
上述したように、第１および第２の発明は、ディジタルテレビジョン放送の電波から所定の周波数のディジタル変調信号を選択し、ディジタル変調信号を復調して得られる第１のディジタル信号と、アナログ信号出力部から出力されるアナログ映像信号およびアナログ音声信号をそれぞれ映像データおよび音声データに変換し、多重化して得られる第２のディジタル信号とを多重化するようにしているため、ディジタルテレビジョン放送にのみ対応した機器でアナログテレビジョン放送を視聴および／または録画することができる。
【発明の効果】
【００３４】
この発明は、ディジタルテレビジョン放送のディジタル信号である第１のディジタル信号と、アナログテレビジョン放送のアナログ信号をディジタルテレビジョン放送形式のディジタル信号に変換した第２のディジタル信号とを多重化して映像装置に供給するようにしているため、ディジタルテレビジョン放送にのみ対応したデコーダや記録再生部を搭載した映像装置で、ディジタルテレビジョン放送およびアナログテレビジョン放送を同時に視聴および／または録画することができるという効果がある。
【発明を実施するための最良の形態】
【００３５】
以下、この発明の実施の一形態について説明する。この発明は、アナログテレビジョン放送の映像信号および音声信号をディジタルテレビジョン放送形式のディジタル信号に変換し、ディジタルテレビジョン放送のディジタル信号と多重化することにより、ディジタルテレビジョン放送にのみ対応した映像装置において、アナログテレビジョン放送とディジタルテレビジョン放送とを同時に視聴および／または録画することができるようにしている。
【００３６】
ここでは、一例として、視聴と録画を同時に行うことができる映像装置に対して、ディジタルテレビジョン放送およびアナログテレビジョン放送を受信し、多重化して出力することができるチューナモジュールを接続する場合について考える。なお、この例では、説明を簡略化するため、ディジタルテレビジョン放送およびアナログテレビジョン放送の電波は、１つの放送設備から送信されるものとする。
【００３７】
図１は、この発明の実施の一形態に適用可能なチューナモジュール１および映像装置２の一例の構成を示す。先ず、この実施の一形態に適用可能なチューナモジュール１の構成について説明する。チューナモジュール１は、ディジタルテレビジョン放送およびアナログテレビジョン放送を受信し、受信したアナログテレビジョン放送のアナログ信号をディジタルテレビジョン放送形式のディジタル信号に変換する。そして、ディジタルテレビジョン放送のディジタル信号である第１のディジタル信号と、アナログテレビジョン放送の信号を変換した第２のディジタル信号とを多重化して出力することができる。
【００３８】
チューナモジュール１は、ディジタルチューナ部１１、アナログチューナ部１２、切替部１３、ディジタル変換部１４、多重化部１５、アナログ入力端子１６ａおよび１６ｂ、制御部１７、ＲＡＭ（Packet IDentification）１８およびディジタル通信インターフェース（Ｉ／Ｆ）１９を備える。また、チューナモジュール１には、外部のアンテナ３が接続され、放送設備４から送信されたディジタルテレビジョン放送およびアナログテレビジョン放送の電波を受信する。受信したディジタルテレビジョン放送の電波がディジタルチューナ部１１に供給されるとともに、アナログテレビジョン放送の電波がアナログチューナ部１２に供給される。
【００３９】
ディジタルチューナ部１１は、供給されたディジタルテレビジョン放送の電波に対して、復調や誤り訂正などの所定の信号処理を施してＴＳ（Transport Stream；トランスポートストリーム）を出力する。ディジタルチューナ部１１の詳細については後述する。ディジタルチューナ部１１から出力されたＴＳは、多重化部１５に供給される。
【００４０】
アナログチューナ部１２は、供給されたアナログテレビジョン放送の電波から所定の周波数の信号を選択し、選択された信号から映像信号と音声信号とを抽出する。アナログチューナ部１２の詳細については後述する。抽出された映像信号および音声信号は、切替部１３の入力端子１３ａおよび１３ｂにそれぞれ供給される。
【００４１】
アナログ入力端子１６ａおよび１６ｂは、外部から映像信号および音声信号をそれぞれ入力することができる。外部から供給された映像信号および音声信号は、切替部１３の入力端子１３ｃおよび１３ｄにそれぞれ供給される。
【００４２】
切替部１３は、制御部１７による制御に基づき、アナログチューナ部１２から供給される映像信号および音声信号と、アナログ入力端子１６ａおよび１６ｂから供給される映像信号および音声信号とを切り替え、ディジタル変換部１４に供給する。このとき、選択される映像信号および音声信号の切り替えが互いに連動するように、制御部１７によって制御される。ディジタル変換部１４は、供給された映像信号および音声信号に対して所定の信号処理を施し、ディジタルテレビジョン放送と同様の形式であるＴＳに変換して出力する。ディジタル変換部１４から出力されたＴＳは、多重化部１５に供給される。なお、ディジタル変換部１４の詳細については後述する。
【００４３】
多重化部１５は、ディジタルチューナ部１１から供給されたＴＳと、ディジタル変換部１４から供給されたＴＳとを多重化する。また、ディジタルチューナ部１１からのＴＳとディジタル変換部１４からのＴＳとのＰＩＤ（Packet IDentification）が重複するのを避けるため、多重化の際に、ディジタルチューナ部１１からのＴＳのＰＩＤを必要に応じて変更する。なお、多重化部１５の詳細については後述する。多重化されたＴＳは、ディジタル通信インターフェース１９に供給される。
【００４４】
制御部１７は、後述する映像装置２のＣＰＵ（Central Processing Unit）２８からの命令に基づき、チューナモジュール１の各部を制御する。また、制御部１７は、ＲＡＭ１８をプログラム実行時のワークメモリとして用いる。
【００４５】
ディジタル通信インターフェース１９は、接続された映像装置２との通信を制御する。ディジタル通信インターフェース１９は、多重化部１５から供給されたＴＳを、後述するディジタル通信インターフェース３２を介して映像装置２に供給する。また、ディジタル通信インターフェース１９は、映像装置２から供給される制御部１７に対する命令や、制御部１７から供給される情報を映像装置２に供給する。
【００４６】
なお、ディジタル通信インターフェース１９は、ディジタル信号を送受信可能なインターフェースであれば、どのようなものを用いてもよい。例えば、ディジタル通信インターフェース１９としては、ＰＣＩ（Peripheral Component Interconnect）やＵＳＢ（Universal Serial Bus）などを用いてもよい。さらに、チューナモジュール１は、映像装置２の筐体外部で装着／離脱される構成に限らず、例えば、映像装置２の筐体内部でインターフェースとしてのスロットに挿入可能な構成であってもよい。
【００４７】
次に、チューナモジュール１の各部について、図面を参照して詳細に説明する。図２は、ディジタルチューナ部１１の一例の構成を示す。ディジタルチューナ部１１は、選局部４１、復調部４２および誤り訂正処理部４３で構成され、制御部１７により各部が制御される。選局部４１は、外部のアンテナ３から供給されたディジタルテレビジョン放送の電波から所定の周波数の変調信号を選局し、復調部４２に供給する。復調部４２は、選局部４１から供給された変調信号に対して所定の方式に基づく復調処理を施し、ＴＳを得る。復調方式は、例えば、地上ディジタルテレビジョン放送の場合、ＯＦＤＭ（Orthogonal Frequency Division Multiplex）方式が用いられる。復調して得られたＴＳは、誤り訂正処理部４３に供給される。誤り訂正処理部４３は、復調部４２から供給されたＴＳに対して誤り訂正処理を行い、ＴＳを出力する。
【００４８】
図３は、アナログチューナ部１２の一例の構成を示す。アナログチューナ部１２は、選局部５１、映像検波部５２および音声検波部５３で構成され、制御部１７により各部が制御される。選局部５１は、外部のアンテナ３から供給されたアナログテレビジョン放送の電波から所定の周波数の信号を選択し、選択された信号を所定の周波数の映像中間周波信号に変換する。得られた映像中間周波信号は、映像検波部５２および音声検波部５３に供給される。
【００４９】
映像検波部５２は、選局部５１から供給された映像中間周波信号をＡＭ（Amplitude Modulation）検波し、映像信号を抽出する。抽出された映像信号は、切替部１３の入力端子１３ａに供給される。音声検波部５３は、選局部５１から供給された映像中間周波信号から音声中間周波信号を取り出した後、ＦＭ（Frequency Modulation）検波して音声信号を抽出する。抽出された音声信号は、切替部１３の入力端子１３ｂに供給される。
【００５０】
図４は、ディジタル変換部１４の一例の構成を示す。ディジタル変換部１４は、映像デコーダ６１、映像符号化部６２、Ａ／Ｄ（Analog/Digital）変換部６３、音声符号化部６４およびＭＵＸ（MUltipleXer）部６５で構成され、制御部１７により各部が制御される。映像デコーダ６１は、切替部１３から供給された映像信号に対して色復調などの信号処理を施し、輝度信号および色差信号を取り出す。取り出された輝度信号および色差信号は、映像符号化部６２に供給される。映像符号化部６２は、映像デコーダ６１から供給された輝度信号および色差信号に対して所定の圧縮符号化処理を施し、映像データを出力する。圧縮符号化方式としては、例えば、ＭＰＥＧ−２（Moving Picture Experts Group-2）方式が用いられる。また、例えば、ＰＤＡや携帯電話などの携帯端末で地上ディジタルテレビジョン放送を視聴する場合、圧縮符号化方式として、高い圧縮率を有するＨ．２６４／ＡＶＣ（H.264/Advanced Video Coding）方式を用いてもよい。圧縮符号化された映像データは、ＭＵＸ部６５に供給される。
【００５１】
Ａ／Ｄ変換部６３は、供給された音声信号をディジタル音声信号に変換する。変換されたディジタル音声信号は、音声符号化部６４に供給される。音声符号化部６４は、Ａ／Ｄ変換部６３から供給されたディジタル音声信号に対して所定の圧縮符号化処理を施し、音声データを出力する。圧縮符号化方式としては、例えば、地上ディジタルテレビジョン放送の場合、ＭＰＥＧ−２  ＡＡＣ（MPEG-2 Advanced Audio Coding）方式が用いられる。圧縮符号化された音声データは、ＭＵＸ部６５に供給される。
【００５２】
ＭＵＸ部６５は、映像符号化部６２から供給される圧縮符号化された映像データと、音声符号化部６４から供給される圧縮符号化された音声データとをそれぞれ複数のＴＳパケットに分割する。そして、ＭＵＸ部６５は、ディジタルテレビジョン放送の方式と同様のＴＳヘッダとして、例えばＴＳパケットの属性を示すＰＩＤなどの情報を、それぞれのＴＳパケットに付加し、ＴＳパケットを多重化してＴＳを生成する。生成されたＴＳは、多重化部１５に供給される。
【００５３】
図５は、多重化部１５の一例の構成を示す。ディジタルテレビジョン放送では、選択された周波数のＴＳには、複数のチャンネルについてのＴＳパケットが存在する場合がある。また、各チャンネルのＴＳパケットに付加されるＰＩＤは、放送局側で自由に設定することができる。そのため、ディジタルテレビジョン放送のＴＳにおけるＴＳパケットに付加されたＰＩＤと、アナログテレビジョン放送の信号をディジタルテレビジョン放送形式に変換したＴＳにおけるＴＳパケットに付加されたＰＩＤとが重複してしまうおそれがある。
【００５４】
これら２つのＴＳパケットのＰＩＤが重複してしまうと、後述するＤｅＭＵＸ部２２において、目的のチャンネルを正常に抽出することができなくなってしまう。そのため、多重化部１５では、選択された周波数のＴＳのうち、所望のチャンネルのＴＳパケットを抽出するとともに、抽出されたＴＳパケットのＰＩＤを変更し、２つのＴＳのＰＩＤが重複してしまうのを避けるようにしている。
【００５５】
多重化部１５は、構成情報抽出部７１、ＰＩＤ抽出変更部７２および２次ＭＵＸ部７３で構成され、制御部１７により各部が制御される。構成情報抽出部７１は、ディジタルチューナ部１１から供給されたＴＳから所望のチャンネルのＴＳパケットを抽出し、ＴＳパケットに格納されている付加データから所望のチャンネルのＴＳパケットに関する構成情報を抽出する。具体的には、例えば、構成情報抽出部７１は、ＴＳパケットに格納されたＰＡＴやＰＭＴに基づき、所望のチャンネルの映像データや音声データが格納されたそれぞれのＴＳパケットを抽出する。そして、抽出されたＴＳパケットに対して割り当てられているＰＩＤに関する情報を構成情報として抽出する。抽出された構成情報は、制御部１７に供給される。
【００５６】
ＰＩＤ抽出変更部７２は、制御部１７おいて構成情報に基づき計算されたＰＩＤの変更値に基づき、所望のチャンネルのＴＳパケットのＰＩＤを変更する。２次ＭＵＸ部７３は、ＰＩＤ変更抽出部７２においてＰＩＤが変更されたＴＳと、ディジタル変換部１４から供給されたＴＳとを多重化する。多重化されたＴＳは、ディジタル通信インターフェース１９に供給される。
【００５７】
なお、ディジタルチューナ部１１から供給されるＴＳにおけるＴＳパケットのＰＩＤと、ディジタル変換部１４から供給されるＴＳにおけるＴＳパケットのＰＩＤとが重複することがない場合には、ディジタルチューナ部１１から供給されるＴＳのＴＳパケットのＰＩＤを変更せずに、そのまま多重化するようにしてもよい。
【００５８】
また、ディジタルチューナ部１１から供給されるＴＳと、ディジタル変換部１４から供給されるＴＳのうち、どちらか一方のＴＳのみが供給される場合、多重化部１５は、ＴＳを多重化せずに、そのまま出力するようにしてもよい。
【００５９】
次に、この実施の一形態に適用可能な映像装置２の構成について説明する。映像装置２は、チューナモジュール１から供給されたＴＳに対して、デスクランブルや復号などの所定の信号処理を施し、ユーザの操作に応じて所定のチャンネルを選択し、映像の表示や録画などを行う。映像装置２の具体例としては、可搬型ＰＣ（所謂ノート型ＰＣ）やＰＤＡ、携帯電話、携帯音楽プレーヤー等である。
【００６０】
映像装置２は、デスクランブラ２１、分離部としてのＤｅＭＵＸ（De-MUltipleXer）部２２、記録再生部２３、デコーダ２４、ＣＡＳ（Conditional Access System）モジュール２５、表示部２６、音声出力部２７、ＣＰＵ２８、ＲＯＭ（Read Only Memory）２９、ＲＡＭ３０、操作部３１およびディジタル通信インターフェース（Ｉ／Ｆ）３２で構成される。ディジタル通信インターフェース３２は、接続されたチューナモジュール１との通信を制御する。ディジタル通信インターフェース３２は、チューナモジュール１から供給されたＴＳをデスクランブラ２１に供給する。また、ディジタル通信インターフェース３２は、チューナモジュール１の制御部１７から受け取った情報をＣＰＵ２８に供給したり、ＣＰＵ２８から受け取った命令をチューナモジュール１に供給する。
【００６１】
なお、ディジタル通信インターフェース３２は、上述のディジタル通信インターフェース１９と同様に、ディジタル信号を送受信可能なインターフェースであれば、どのようなものを用いてもよい。
【００６２】
デスクランブラ２１は、ディジタル通信インターフェース３２を介して供給されたＴＳに対して、必要に応じてＣＡＳモジュール２５とデータのやりとりを行い、スクランブルを解除するためのデスクランブル処理を施す。デスクランブル処理については後述する。デスクランブルされたＴＳは、ＤｅＭＵＸ部２２に供給される。なお、ＴＳがアナログテレビジョン放送の信号のみを変換したものである場合は、信号に対してＴＳに対してスクランブル処理が施されていない。したがって、アナログテレビジョン放送を変換したＴＳのみが供給された場合、デスクランブラ２１は、スクランブルを解除するための処理を行わず、供給されたＴＳをそのまま出力する。
【００６３】
ＣＡＳモジュール２５は、デスクランブラ２１においてデスクランブル処理を施す際に用いられるモジュールである。ＣＡＳモジュール２５は、デスクランブラ２１から供給される情報に基づき、ユーザがその番組を視聴可能であるかどうかの判断を行う。また、ＣＡＳモジュール２５は、デスクランブラ２１から、スクランブル処理の際に用いられた暗号化されたスクランブル鍵を受け取り、スクランブル鍵を復号してデスクランブラ２１に供給する。ＣＡＳモジュール２５としては、例えばＩＣ（Integrated Circuit）カードを用いることができる。
【００６４】
ＤｅＭＵＸ部２２は、ＴＳパケットのヘッダ部に格納されたＰＩＤの値に基づきフィルタリングを行い、ディジタルテレビジョン放送のストリームと、アナログテレビジョン放送の信号をディジタルテレビジョン放送形式に変換したストリームとに分離する。これら２つのストリームは、ＣＰＵ２８の制御に基づき、一方のストリームがデコーダ２４に供給され、他方のストリームが記録再生部２３に供給される。
【００６５】
記録再生部２３は、ＤｅＭＵＸ部２２から供給されたストリームをディジタルデータが記録可能な記録媒体に記録する。また、記録再生部２３は、記録媒体に記録されたストリームを読み出し、デコーダ２４に供給する。なお、記録再生部２３の詳細については後述する。
【００６６】
デコーダ２４は、ＤｅＭＵＸ部２２または記録再生部２３から供給されたストリームに含まれる映像データ、音声データおよび付加データに対してそれぞれ復号処理を施す。デコーダ２４の詳細については後述する。復号された映像データおよび付加データは、表示部２６に供給され、例えばＯＳＤ（On Screen Display）処理により、重ね合わせられて表示される。表示部２６としては、例えば、ＣＲＴ（Cathode Ray Tube）やＬＣＤ（Liquid Crystal Display）が用いられる。また、復号された音声データは、音声出力部２７に供給されて音声が出力される。
【００６７】
操作部３１は、例えば、キーボードやリモートコントロールコマンダーからなり、ディジタルテレビジョン放送またはアナログテレビジョン放送の選択情報や、チャンネルの選局情報がユーザによって入力される。入力された選択情報や選局情報は、ＣＰＵ２８に供給される。
【００６８】
ＣＰＵ２８は、ＲＯＭ２９に予め格納されたプログラムに従い、ＲＡＭ３０をプログラム実行時のワークメモリとして、映像装置２の各部を制御するとともに、ディジタル通信インターフェース３２を介してチューナモジュール１の制御部１７を制御する。例えば、ＣＰＵ２８は、操作部３１から供給された選局情報に基づき、所定の周波数の信号を選択するようチューナモジュール１の制御部１７やＤｅＭＵＸ部２２を制御する。
【００６９】
次に、映像装置２の各部について、図面を参照して詳細に説明する。図６は、記録再生部２３の一例の構成を示す。記録再生部２３は、暗号化部８１、記録媒体８２および復号部８３で構成され、ＣＰＵ２８によって各部が制御される。暗号化部８１は、ＤｅＭＵＸ部２２から供給されたストリームに対し、必要に応じて、所定の暗号化方式を用いた暗号化処理を１または複数のパケット毎に施す。暗号化方式としては、例えば、ＤＥＳ（Data Encryption Standard）やＡＥＳ（Advanced Encryption Standard）などの共通鍵暗号化方式を用いることができる。暗号化されたストリームは、記録媒体８２に供給される。
【００７０】
記録媒体８２は、暗号化部８１から供給されたストリームを記録する。また、再生時には、記録媒体８２に記録されたストリームが読み出され、復号部８３に供給される。記録媒体としては、例えば、ＨＤＤ（Hard Disc Drive）などのディジタルデータを記録可能な記録媒体を用いることができる。
【００７１】
復号部８３は、記録媒体８２から読み出されたストリームに対して、暗号化部８１で用いた暗号化方式に応じた復号処理を施す。復号されたストリームは、デコーダ２４に供給される。
【００７２】
なお、上述の例では、記録媒体８２は、記録再生部２３に内蔵されているように説明したが、これはこの例に限られない。例えば、記録媒体８２を外部に設け、取り外しが可能となるようにしてもよい。取り外しが可能な記録媒体８２としては、例えば、メモリーカードや記録可能なＤＶＤ（Digital Versatile Disc）、記録可能なＢＤ（Blu-ray Disc；ブルーレイディスク）を用いることができる。
【００７３】
図７は、デコーダ２４の一例の構成を示す。デコーダ２４は、切替部９１、２次ＤｅＭＵＸ部９２、映像デコーダ９３、音声デコーダ９４およびデータデコーダ９５で構成され、ＣＰＵ２８によって各部が制御される。切替部９１は、入力端子９１ａに入力されるＤｅＭＵＸ部２２からのストリームと、入力端子９１ｂに入力される記録再生部２３からのストリームとを、ＣＰＵ２８の制御に基づき切り替えて、２次ＤｅＭＵＸ部９２に供給する。例えば、ＣＰＵ２８の制御により、ディジタルテレビジョン放送またはアナログテレビジョン放送を視聴する場合には、入力端子９１ａが選択され、録画された番組を再生する場合には、入力端子９１ｂが選択される。
【００７４】
２次ＤｅＭＵＸ部９２は、供給されたストリームを映像データと音声データと付加データとに分離させる。映像データ、音声データおよび付加データは、それぞれ映像デコーダ９３、音声デコーダ９４およびデータデコーダ９５に供給される。映像デコーダ９３、音声デコーダ９４およびデータデコーダ９５は、供給された映像データ、音声データおよび付加データをそれぞれ復号し、復号された映像データおよび付加データを表示部２６に出力するとともに、復号された音声データを音声出力部２７に出力する。
【００７５】
次に、この発明の実施の一形態に適用可能なチューナモジュール１および映像装置２の動作について、図１を参照して説明する。ここでは、説明を容易とするために、ディジタルテレビジョン放送を視聴するとともに、アナログテレビジョン放送を録画する場合を例にとって説明する。
【００７６】
チューナモジュール１の外部に接続されたアンテナ３は、放送設備４から送信されたディジタルテレビジョン放送およびアナログテレビジョン放送の電波を受信し、ディジタルチューナ部１１およびアナログチューナ部１２にそれぞれ供給する。ディジタルチューナ部１１は、ユーザの操作部３１に対する選局操作に基づき、ディジタルテレビジョン放送の電波から所定の周波数の変調信号を選局し、復調等の信号処理を施して得られたＴＳを多重化部１５に供給する。
【００７７】
一方、アナログチューナ部１２は、ユーザの操作部３１に対する選局操作に基づき、アナログテレビジョン放送の電波から所定の周波数の信号を選択し、選択された信号を映像中間周波信号に変換した後、所定の信号処理を施して得られた映像信号および音声信号を、切替部１３を介してディジタル変換部１４に供給する。ディジタル変換部１４は、映像信号および音声信号に対して所定の信号処理を施してディジタルテレビジョン放送形式のＴＳに変換し、多重化部１５に供給する。
【００７８】
多重化部１５は、先ず、ディジタルチューナ部１１から供給されたＴＳにおけるＴＳパケットのＰＩＤと、ディジタル変換部１４から供給されたＴＳにおけるＴＳパケットのＰＩＤとが重複することを避けるため、必要に応じてディジタルチューナ部１１からのＴＳにおけるＴＳパケットのＰＩＤを変更する。
【００７９】
多重化部１５の構成情報抽出部７１は、ＴＳパケットに格納されたＰＡＴやＰＭＴに基づき、所望のチャンネルの映像データや音声データが格納されたＴＳパケットを抽出する。そして、抽出されたＴＳパケットに対して割り当てられているＰＩＤを抽出し、構成情報として制御部１７に供給する。制御部１７は、供給された構成情報に基づき、ＴＳパケットに対して新たに付加するためのＰＩＤを算出し、得られたＰＩＤの変更値を多重化部１５のＰＩＤ抽出変更部７２に供給する。
【００８０】
多重化部１５において、ＰＩＤ抽出変更部７２は、制御部１７から供給されたＰＩＤ変更値に基づき、ＰＩＤの変更対象となっているＴＳパケットのＰＩＤを変更する。そして、多重化部１５の２次ＭＵＸ部７３は、ＰＩＤ抽出変更部７２においてＰＩＤが変更されたＴＳと、ディジタル変換部１４から供給されたＴＳとを多重化する。多重化されたＴＳは、ディジタル通信インターフェース１９およびディジタル通信インターフェース３２を介して映像装置２に供給される。
【００８１】
映像装置２は、ディジタル通信インターフェース３２を介して供給されたＴＳをデスクランブラ２１に供給する。デスクランブラ２１は、供給されたＴＳに対してスクランブルを解除するデスクランブル処理を施す。
【００８２】
ＴＳに格納された付加データには、放送設備４においてスクランブル処理を施す際に用いられたスクランブル鍵が暗号化された状態で格納されている。デスクランブラ２１は、デスクランブル処理の際に、付加データからＴＳに関する情報と暗号化されたスクランブル鍵とを取り出し、ＣＡＳモジュール２５に対して供給する。ＣＡＳモジュール２５は、デスクランブラ２１から受け取ったＴＳに関する情報に基づき、ＴＳに対するユーザの視聴が許可されているかどうかを判断する。判断の結果、視聴が許可されていると判断した場合、ＣＡＳモジュール２５は、暗号化されたスクランブル鍵を復号してデスクランブラ２１に供給する。そして、デスクランブラ２１は、復号されたスクランブル鍵を用いて、ＴＳに対してデスクランブル処理を施し、ＤｅＭＵＸ部２２に供給する。
【００８３】
ＤｅＭＵＸ部２２は、デスクランブル処理されたＴＳから、ディジタルテレビジョン放送のストリームと、アナログテレビジョン放送が変換されたストリームとを取り出し、ディジタルテレビジョン放送のストリームをデコーダ２４に供給する。また、ＤｅＭＵＸ部２２は、アナログテレビジョン放送が変換されたストリームを記録再生部２３に供給し、記録再生部２３で暗号化されて記録媒体８２に記録する。
【００８４】
デコーダ２４は、供給されたストリームに含まれる映像データ、音声データおよび付加データに対して、それぞれのデータに応じた復号処理を施し、映像データおよび付加データを表示部２６に出力するとともに、音声データを音声出力部２７に出力する。
【００８５】
このように、アナログテレビジョン放送のアナログ信号をディジタルテレビジョン放送形式のディジタル信号に変換し、ディジタルテレビジョン放送のディジタル信号と多重化することにより、ディジタルテレビジョン放送にのみ対応するデコーダやディジタル記録再生用の記録再生部を用いて、ディジタルテレビジョン放送およびアナログテレビジョン放送を同時に視聴および／または録画することができる。
【００８６】
なお、上述の説明では、チューナモジュールと映像装置とが分離されているように説明したが、これはこの例に限られない。例えば、チューナモジュールと映像装置とが一体とされていてもよい。
【００８７】
また、例えば、ディジタルチューナ部を複数設け、複数のディジタルテレビジョン放送およびアナログテレビジョン放送を視聴および／または録画するようにしてもよい。
【００８８】
さらに、チューナモジュールおよび映像装置の構成は、この例に限られず、例えば図８および図９に示すように、デスクランブラおよびＣＡＳモジュールをチューナモジュール側に設ける構成としてもよい。
【００８９】
図８は、チューナモジュール１０１の多重化部１５の後段にデスクランブラ１２１を設けた場合の一例の構成を示す。なお、図１と共通する部分については同一の符号を付し、説明を省略する。
【００９０】
ディジタルチューナ部１１において、チューナモジュール１０１の外部に接続されたアンテナ３で受信したディジタルテレビジョン放送の電波に対して所定の信号処理が施されてＴＳが抽出され、多重化部１５に供給される。
【００９１】
また、アナログチューナ部１２において、外部のアンテナ３で受信したアナログテレビジョン放送の電波に対して所定の信号処理が施され、映像信号および音声信号が抽出される。抽出された映像信号および音声信号は、切替部１３を介してディジタル変換部１４に供給され、ディジタル変換部１４でディジタルテレビジョン放送形式のＴＳに変換される。変換されたＴＳは、多重部１５に供給される。
【００９２】
多重化部１５において、ディジタルチューナ部１１から供給されたＴＳと、ディジタル変換部１４から供給されたＴＳとが多重化され、デスクランブラ１２１に供給される。多重化されたＴＳは、デスクランブラ１２１でＴＳに関する情報と暗号化されたスクランブル鍵とが取り出され、ＣＡＳモジュール１２５に供給される。
【００９３】
ＣＡＳモジュール１２５は、デスクランブラ１２１から受け取ったＴＳに関する情報に基づき、視聴が許可されていると判断した場合、ＣＡＳモジュール１２５は、デスクランブラ１２１から受け取ったスクランブル鍵を復号し、デスクランブラ１２１に供給する。デスクランブラ１２１では、復号されたスクランブル鍵により、多重化されたＴＳに対してデスクランブル処理が施され、ディジタル通信インターフェース１９およびディジタル通信インターフェース３２を介して映像装置１０２に供給される。
【００９４】
ディジタル通信インターフェース３２を介して映像装置１０２に供給されたＴＳは、ＤｅＭＵＸ部２２およびデコーダ２４において図１を用いて説明した処理と同様の処理が施され、ディジタルテレビジョン放送のストリームと、アナログテレビジョン放送の信号がディジタルテレビジョン放送形式に変換されたストリームとに分離される。そして、一方のストリームが記録再生部２３へ記録されるとともに、他方のストリームが表示部２６により表示され、音声出力部２７により音声が出力される。
【００９５】
図９は、チューナモジュール２０１のディジタルチューナ部１１と多重化部１５との間にデスクランブラ２２１を設けた場合の一例の構成を示す。スクランブル処理が施されているＴＳは、ディジタルテレビジョン放送のＴＳのみである。したがって、この例では、ディジタルテレビジョン放送のＴＳと、アナログテレビジョン放送の信号をディジタルテレビジョン放送形式に変換したＴＳとの多重化を行う前にディジタルテレビジョン放送のＴＳに対してデスクランブル処理を施すようにした。なお、図１と共通する部分については同一の符号を付し、説明を省略する。
【００９６】
ディジタルチューナ部１１において、チューナモジュール２０１の外部に接続されたアンテナ３で受信したディジタルテレビジョン放送の電波に対して所定の信号処理が施されてＴＳが抽出され、デスクランブラ２２１に出力される。
【００９７】
ディジタルチューナ部１１から出力されたＴＳは、デスクランブラ２２１でＴＳに関する情報と暗号化されたスクランブル鍵とが取り出され、ＣＡＳモジュール２２５に供給される。
【００９８】
ＣＡＳモジュール２２５は、デスクランブラ２２１から受け取ったＴＳに関する情報に基づき、視聴が許可されていると判断した場合、ＣＡＳモジュール２２５は、デスクランブラ２２１から受け取ったスクランブル鍵を復号し、デスクランブラ２２１に供給する。デスクランブラ２２１では、復号されたスクランブル鍵により、ＴＳに対してデスクランブル処理が施される。デスクランブル処理を施されたＴＳは、多重化部１５に供給される。
【００９９】
一方、アナログチューナ部１２において、外部のアンテナ３で受信したアナログテレビジョン放送の電波に対して所定の信号処理が施され、映像信号および音声信号が抽出される。抽出された映像信号および音声信号は、切替部１３を介してディジタル変換部１４に供給され、ディジタル変換部１４でディジタルテレビジョン放送形式のＴＳに変換される。変換されたＴＳは、多重部１５に供給される。
【０１００】
多重化部１５において、ディジタルチューナ部１１から供給されたＴＳと、ディジタル変換部１４から供給されたＴＳとが多重化され、ディジタル通信インターフェース１９およびディジタル通信インターフェース３２を介して映像装置２０２に供給される。
【０１０１】
ディジタル通信インターフェース３２を介して映像装置２０２に供給されてＴＳは、ＤｅＭＵＸ部２２およびデコーダ２４において図１を用いて説明した処理と同様の処理が施され、ディジタルテレビジョン放送のストリームと、アナログテレビジョン放送の信号がディジタルテレビジョン放送形式に変換されたストリームとに分離される。そして、一方のストリームが記録再生部２３へ記録されるとともに、他方のストリームが表示部２６により表示され、音声出力部２７により音声が出力される。
【０１０２】
次に、この発明の実施の一形態の変形例について、図１０を参照して説明する。この実施の一形態の変形例では、チューナモジュール３０１において、ディジタルチューナ部１１と多重化部１５との間にデスクランブラ３２１を設けるとともに、ＣＡＳモジュール３２５を設け、さらに多重化部１５の後段に暗号化部３８１を設けるようにした。また、映像装置３０２において、デコーダ３２４に復号部３８３を設けるようにした。なお、図１と共通する部分については同一の符号を付し、詳細な説明を省略する。
【０１０３】
ディジタルチューナ部１１において、チューナモジュール３０１の外部に接続されたアンテナ３で受信したディジタルテレビジョン放送の電波に対して所定の信号処理が施されてＴＳが抽出され、デスクランブラ３２１に出力される。
【０１０４】
ディジタルチューナ部１１から出力されたＴＳは、デスクランブラ３２１でＴＳに関する情報と暗号化されたスクランブル鍵とが取り出され、ＣＡＳモジュール３２５に供給される。
【０１０５】
ＣＡＳモジュール３２５は、デスクランブラ３２１から受け取ったＴＳに関する情報に基づき、視聴が許可されていると判断した場合、ＣＡＳモジュール３２５は、デスクランブラ３２１から受け取ったスクランブル鍵を復号し、デスクランブラ３２１に供給する。デスクランブラ３２１では、復号されたスクランブル鍵により、ＴＳに対してデスクランブル処理が施される。デスクランブル処理を施されたＴＳは、多重化部１５に供給される。
【０１０６】
一方、アナログチューナ部１２において、外部のアンテナ３で受信したアナログテレビジョン放送の電波に対して所定の信号処理が施され、映像信号および音声信号が抽出される。抽出された映像信号および音声信号は、切替部１３を介してディジタル変換部１４に供給され、ディジタル変換部１４でディジタルテレビジョン放送形式のＴＳに変換される。変換されたＴＳは、多重部１５に供給される。
【０１０７】
多重化部１５において、ディジタルチューナ部１１から供給されたＴＳと、ディジタル変換部１４から供給されたＴＳとが多重化され、暗号化部３８１に供給される。そして、多重化されたＴＳは、暗号化部３８１において、ＤＥＳやＡＥＳなどの所定の暗号化方式を用いて、一又は複数のパケット毎に暗号化される。なお、暗号化の際には、ＴＳパケットのヘッダを除いた部分について暗号化するとよい。暗号化されたＴＳは、ディジタル通信インターフェース１９およびディジタル通信インターフェース３２を介して映像装置３０２に供給される。
【０１０８】
ディジタル通信インターフェース３２を介して映像装置３０２に供給されたＴＳは、ＤｅＭＵＸ部２２において図１を用いて説明した処理と同様の処理が施され、ディジタルテレビジョン放送のストリームと、アナログテレビジョン放送の信号がディジタルテレビジョン放送形式に変換されたストリームとに分離される。そして、一方のストリームが記録再生部３２３へ記録されるとともに、他方のストリームがデコーダ３２４に供給される。
【０１０９】
記録再生部３２３は、図１１に示すように、記録媒体８２で構成され、ＣＰＵ２８の制御に基づき、ＤｅＭＵＸ部２２から供給されたストリームを記録する。このとき、記録媒体８２には、ストリームが暗号化された状態で記録される。また、再生時には、ＣＰＵ２８の制御に基づき、記録媒体８２に記録されたストリームが読み出され、デコーダ３２４に供給される。
【０１１０】
デコーダ３２４は、図１２に示すように、切替部９１、２次ＤｅＭＵＸ部９２、映像デコーダ９３、音声デコーダ９４、データデコーダ９５および復号部３８３で構成され、ＣＰＵ２８によって各部が制御される。切替部９１は、入力端子９１ａに入力されるＤｅＭＵＸ部２２からのストリームと、入力端子９１ｂに入力される記録再生部３２３からのストリームとを、ＣＰＵ２８の制御に基づいて切り替え、復号部３８３に供給する。
【０１１１】
復号部３８３に供給されたストリームは、暗号化の際に用いられた暗号化方式に対応する復号方式で復号され、２次ＤｅＭＵＸ部９２に供給される。そして、復号されたストリームは、２次ＤｅＭＵＸ部９２において映像データと音声データと付加データとに分離される。映像データ、音声データおよび付加データは、それぞれ映像デコーダ９３、音声デコーダ９４およびデータデコーダ９５に供給され、それぞれのデータに応じて復号処理が施され、復号された映像データおよび付加データが表示部２６に出力され、復号された音声データが音声出力部２７に出力される。
【０１１２】
このように、暗号化部３８１をチューナモジュール３０１の多重化部１５の後段に設け、復号部３８３を映像装置３０２のデコーダ部３２４に設けることにより、チューナモジュール３０１と映像装置３０２との間でやりとりされるＴＳを暗号化することができるとともに、暗号化された状態でストリームを記録することができる。
【０１１３】
以上、この発明の実施の一形態および実施の一形態の変形例について具体的に説明したが、この発明は、上述したこの発明の実施の一形態および実施の一形態の変形例に限定されるものではなく、この発明の要旨を逸脱しない範囲内で様々な変形や応用が可能である。例えば、携帯電話やＰＤＡなどの携帯端末で視聴可能なワンセグメント放送にも適用することができる。
【０１１４】
また、上述で説明したように、視聴および録画を同時に行う場合に限られず、例えば、２つの番組を同時に録画したり、２つの番組をピクチャ・イン・ピクチャ機能やピクチャ・アウト・ピクチャ機能により２画面に表示し、同時に視聴できるようにしてもよい。
【図面の簡単な説明】
【０１１５】
【図１】この発明の実施の一形態に適用可能なチューナモジュールおよび映像装置の一例の構成を示すブロック図である。
【図２】ディジタルチューナ部の一例の構成を示すブロック図である。
【図３】アナログチューナ部の一例の構成を示すブロック図である。
【図４】ディジタル変換部の一例の構成を示すブロック図である。
【図５】多重化部の一例の構成を示すブロック図である。
【図６】記録再生部の一例の構成を示すブロック図である。
【図７】デコーダの一例の構成を示すブロック図である。
【図８】この発明の実施の一形態において、チューナモジュールの多重化部の後段にデスクランブラを設けた場合の一例の構成を示すブロック図である。
【図９】この発明の実施の一形態において、チューナモジュールのディジタルチューナ部と多重化部との間にデスクランブラを設けた場合の一例の構成を示すブロック図である。
【図１０】この発明の実施の一形態の変形例に適用可能なチューナモジュールおよび映像装置の一例の構成を示すブロック図である。
【図１１】この発明の実施の一形態の変形例に適用可能な記録再生部の一例の構成を示すブロック図である。
【図１２】この発明の実施の一形態の変形例に適用可能なデコーダの一例の構成を示すブロック図である。
【図１３】従来のチューナモジュールおよび映像装置の一例の構成を示すブロック図である。
【図１４】トランスポートストリームの一例の構成を示す略線図である。
【符号の説明】
【０１１６】
１、１０１、２０１、３０１  チューナモジュール
２、１０２、２０２、３０２  映像装置
１１  ディジタルチューナ部
１２  アナログチューナ部
１３  切替部
１４  ディジタル変換部
１５  多重化部
１９  ディジタル通信インターフェース
２１  デスクランブラ
２２  ＤｅＭＵＸ部
２３、３２３  記録再生部
２４  デコーダ
３２  ディジタル通信インターフェース
７１  構成情報抽出部
７２  ＰＩＤ抽出変更部
７３  ２次ＭＵＸ部
８１、３８１  暗号化部
８２  記録媒体
８３、３８３  復号部
９１  切替部
９２  ２次ＤｅＭＵＸ部
【図１】
2007235650.tif 000003
【図２】
2007235650.tif 000004
【図３】
2007235650.tif 000005
【図４】
2007235650.tif 000006
【図５】
2007235650.tif 000007
【図６】
2007235650.tif 000008
【図７】
2007235650.tif 000009
【図８】
2007235650.tif 000010
【図９】
2007235650.tif 000011
【図１０】
2007235650.tif 000012
【図１１】
2007235650.tif 000013
【図１２】
2007235650.tif 000014
【図１３】
2007235650.tif 000015
【図１４】
2007235650.tif 000016